(57)【要約】【課題】使用目的に適合した周波数特性を有する光を安定して形成することを目的とする。【解決手段】表面形状測定装置の前記光学フィルタは、前記干渉波形の交流成分ｆ（ｚ）を下記式（５）及び下記式（６）で表し、この交流成分ｆ（ｚ）の干渉波形の幅を、ｆ（ｚ）の２乗の２次モーメントである下記式（７）で定義したとき、この式（７）を最小とする下記式（８）によって前記光学フィルタは構成され、前記白色光の周波数特性を特定周波数特性に変換する光学フィルタを表面形状測定装置に用いることで高精度あるいは高速度の表面形状測定装置を可能にする。【選択図】　　　図３
2004061330.tif 000002
【特許請求の範囲】
【請求項１】
測定対象面と参照面とに照射する白色光を発生させる白色光源と、
前記測定対象面と参照面との相対的距離を変動させる変動手段と、
前記白色光が照射された測定対象面と参照面との相対的距離の変動に伴って発生する干渉光の変化とともに前記測定対象面を撮像する撮像手段と、
前記撮像された測定対象面上の複数の特定箇所における干渉光の強度値を取り込むサンプリング手段と、
前記サンプリング手段によって取り込まれた各干渉光の強度値を記憶する記憶手段と、
前記記憶手段に記憶された前記干渉光の強度値変化に基づいて前記複数個の特定箇所の高さをそれぞれ求め前記測定対象面の凹凸形状を測定する表面形状測定装置に用いる光学フィルタであって、
前記光学フィルタは、前記白色光源から照射された白色光の周波数帯域を特定周波数帯域に変換することを特徴とする光学フィルタ。
【請求項２】
前記光学フィルタは、前記撮像手段によって撮像される前記測定対象面の干渉波形の幅を最小にすることを特徴とする請求項１に記載の光学フィルタ。
【請求項３】
前記光学フィルタは、前記干渉波形の交流成分ｆ（ｚ）を下記式（１）及び下記式（２）で表し、この交流成分ｆ（ｚ）の干渉波形の幅をｆ（ｚ）の２乗の２次モーメントである下記式（３）で定義したとき、この式（３）を最小とする下記式（４）によって与えられる特性ａ（ｋ）を持つことを特徴とする請求項１または請求項２に記載の光学フィルタ。
【数１】
2004061330.tif 000016
【数２】
2004061330.tif 000017
【数３】
2004061330.tif 000018
【数４】
2004061330.tif 000019
ここで、前記式（１）中のｆ（ｚ）は、干渉光の波形の交流成分を表す式であり、ｋは真空中での波長の逆数に２πを乗じた角波数、ｎは媒質の屈折率であり、前記式（１）中のＡ（ｋ）は、前記式（２）で与えられる関数であり、前記式（２）の中のａ（ｋ）は、前記式（４）で与えられる光学フィルタの角波数ｋに対する特性であり、ｑ（ｋ）、ｓ（ｋ）は、前記角波数ｋの光の測定対象面及び参照面を経由して測定面に至る経路に沿った減衰率であり、前記式（４）のｋａは前記光学フィルタの前記周波数帯域幅の下限と上限をそれぞれｋｌ、ｋｕと表すときｋａ＝（ｋｕ−ｋｌ）／２で定義される定数であり、ｋｌ≦ｋ≦ｋｕである。また、ｋ＜ｋｌ、ｋ＞ｋｕに対しては、Ａ（ｋ）＝０及びａ（ｋ）＝０と定義する。
【請求項４】
請求項１から請求項３の何れか１項に記載の光学フィルタであって、前記光学フィルタを前記白色光源から撮像手段までの間の光路に配置されることを特徴とする表面形状測定装置。
【発明の詳細な説明】
【０００１】
【発明の属する技術分野】
本発明は、干渉光を用いた測定対象面の凹凸形状を測定する表面形状測定装置に関する。
【０００２】
【従来の技術】
従来、半導体ウエハや液晶表示器用ガラス基板等の精密加工品の凹凸形状を測定する表面形状測定装置として、白色光の干渉現象を用いて測定を行う表面形状測定装置が多用されている。
【０００３】
このような従来の表面形状測定装置として、本発明者は、特開２００１―０６１２２号公報で、比較的少ない個数のデータに基づいて、特定箇所の高さを高精度かつ安定して測定できる表面形状測定方法およびその装置を提案している。
【０００４】
本発明者の特開２００１−０６１２２号公報の表面形状測定装置は、白色光源、ビームスプリッタ、レンズ、ＣＣＤカメラ（素子）、試料移動装置等を用いて構成され、白色光を測定対象面に照射し、測定対象面での干渉光をＣＣＤカメラで撮像して強度値を測定し、予め求めた理論的な干渉光の強度値変化の波形に、測定して得られた実際のデータ群を用いて干渉光の強度値変化の波形が最大となる位置を求めている。
【０００５】
このような表面形状測定装置に用いる白色光源は、理想的にはあらゆる周波数帯域を一様に含む光である。しかし、実際のＣＣＤカメラで得られる信号を、コンピュータなどを使ってディジタル処理して測定に用いる光は、ある特定範囲の周波数しか含まず、含まれる度合いも周波数に対して必ずしも一様でないほうが望ましい。そのため、表面形状測定装置に用いる白色光をよりふさわしい周波数特性に変換するために、光学フィルタを試行錯誤的に交換することにより調整している。
【０００６】
【発明が解決しようとする課題】
しかしながら、従来の表面形状測定装置では、測定に適した周波数特性を得るために、市販の光学フィルタを試行錯誤的に交換する必要があり、測定に適した光学フィルタを選び出すのが困難であった。この光学フィルタを試行錯誤的に交換しなければいけない最も大きな原因は、光学フィルタの持つべき相応しい特性がわかっていなかったため、光学フィルタの設計指針をたてることができなかったことにある。
【０００７】
そこで、本発明は、表面形状測定装置の白色光源に用いる光が備えるべき最適な周波数特性に変換する光学フィルタを提案し、この光学フィルタを備えた表面形状測定装置を提供することを目的とする。
【０００８】
【課題を解決するための手段】
本発明者が鋭意検討した結果、従来の表面形状測定装置に含まれる白色光源から照射された白色光が、干渉計によって干渉光が形成される際に、この干渉光の波形の広がりがより狭くなるように、好ましくは最小となるように前記白色光源が照射される白色光の周波数特性を特定周波数特性に変換する光学フィルタを創案することによって、前記課題を解決することが可能であることを見いだし、本発明を創作するに至った。
【０００９】
本発明の請求項１は、測定対象面と参照面とに照射する白色光を発生させる白色光源と、前記測定対象面と参照面との相対的距離を変動させる変動手段と、前記白色光が照射された測定対象面と参照面との相対的距離の変動に伴って発生する干渉光の変化とともに前記測定対象面を撮像する撮像手段と、前記撮像された測定対象面上の複数の特定箇所における干渉光の強度値を取り込むサンプリング手段と、前記サンプリング手段によって取り込まれた各干渉光の強度値を記憶する記憶手段と、前記記憶手段に記憶された前記干渉光の強度値変化に基づいて前記複数個の特定箇所の高さをそれぞれ求め前記測定対象面の凹凸形状を測定する表面形状測定装置に用いる光学フィルタであって、前記光学フィルタは、前記白色光源から照射された白色光の周波数帯域を特定周波数帯域に変換することを特徴とする。
【００１０】
請求項１では、前記白色光源から前記撮像手段までの間の光路内に前記光学フィルタを備えることで、前記白色光の周波数帯域を特定周波数帯域に変換することができ、不適切な光学フィルタを用いることにより生じる測定精度の低下を減少させると共に、試行錯誤的に交換する必要がない。
【００１１】
本発明の請求項２において、前記光学フィルタは、前記撮像手段によって撮像される前記測定対象面の干渉波形の幅を最小にすることを特徴とする。
【００１２】
請求項２では、前記光学フィルタによって前記干渉波形の幅を最小にするように構成したことで、前記表面形状測定装置の試料表面の走査範囲を一定に保てば高精度測定を行うことができ、逆に、従来の測定精度を維持すれば、前記表面形状測定装置の試料表面の操作範囲を狭くでき、高速な測定を行うことができる。
【００１３】
本発明の請求項３において、前記光学フィルタは、前記干渉波形の交流成分ｆ（ｚ）を下記式（５）及び下記式（６）で表し、この交流成分ｆ（ｚ）の干渉波形の幅をｆ（ｚ）の２乗の２次モーメントである下記式（７）で定義したとき、この式（７）を最小とする下記式（８）によって与えられる特性ａ（ｋ）を持つことを特徴とする。
【００１４】
【数５】
2004061330.tif 000003
【００１５】
【数６】
2004061330.tif 000004
【００１６】
【数７】
2004061330.tif 000005
【００１７】
【数８】
2004061330.tif 000006
【００１８】
ここで、前記式（５）中のｆ（ｚ）は、干渉光の波形の交流成分を表す式であり、ｋは真空中での波長の逆数に２πを乗じた角波数、ｎは媒質の屈折率であり、前記式（５）中のＡ（ｋ）は、前記式（６）で与えられる関数であり、前記式（６）の中のａ（ｋ）は、前記式（８）で与えられる光学フィルタの角波数ｋに対する特性であり、ｑ（ｋ）、ｓ（ｋ）は、前記角波数ｋの光の測定対象面及び参照面を経由して測定面に至る経路に沿った減衰率であり、前記式（８）のｋａは前記光学フィルタの前記周波数帯域幅の下限と上限をそれぞれｋｌ、ｋｕと表すときｋａ＝（ｋｕ−ｋｌ）／２で定義される定数であり、ｋｌ≦ｋ≦ｋｕである。また、ｋ＜ｋｌ、ｋ＞ｋｕに対しては、Ａ（ｋ）＝０及びａ（ｋ）＝０と定義する。
【００１９】
請求項３では、前記光学フィルタを前記式（８）によって構成することによって、前記白色光の周波数特性を特定周波数特性に変換し、前記干渉波形の幅が狭くなると共に、表面形状測定装置の走査範囲を一定に保てば高精度測定を行うことができ、逆に従来の測定精度を維持すれば、前記表面形状測定装置の試料表面の走査範囲を狭くでき、高速な測定を行うことができる。
【００２０】
本発明の請求項４は、前記光学フィルタを前記白色光源から撮像手段までの間の光路に配置されることを特徴とする。
【００２１】
請求項４では、前記光学フィルタを前記表面形状測定装置内の前記白色光源から撮像手段までの光路間の任意の位置に配置しても、前記白色光の周波数特性を特定周波数特性に変換すると共に、前記表面形状測定装置の試料表面の走査範囲を一定に保てば高精度の測定を行うことができ、逆に従来の測定精度を維持すれば、前記表面形状測定装置の試料表面の走査範囲を狭くでき、高速な測定を行うことができる。
【００２２】
次に、図を参照しながら本発明の第１実施形態を説明する。
【発明の実施の形態】
［第１実施形態］
図１には、本発明の第１実施形態の表面形状測定装置の構成を示す。
図１に示すように、本発明のマイケルソン型の表面形状測定装置は、最下端部に試料台１があり、この試料台１の上に試料２が配置され、この試料２の鉛直上方には、ビームスプリッタ３とＣＣＤカメラ４が配置されている。また、ビームスプリッタ３の中心を中心点Ｏとし、この中心点Ｏの水平方向の一端に光学フィルタ５と白色光源６が配置されている。
また、白色光源６は、中心点Ｏから一番遠い端部に配置され、中心点Ｏの他端には、参照鏡７が設けられている。また、ビームスプリッタ３は、水平方向に対して中心点Ｏを中心に４５度の角度を持たせて配置されている。
【００２３】
ここで、ＣＣＤカメラ４から中心点Ｏまでの距離をＬ１、中心点Ｏから参照鏡７までの距離をＬ２とし、中心点Ｏから試料２方向にＬ２だけ離れた位置に仮想点Ｅ、試料台１から試料２の表面までの高さをｚｐ、試料台１から仮想点Ｅまでの距離をｚとする。ここで、Ｌ１、Ｌ２は光路長であり、ｄは光路差、Ｐは試料表面の測定点とする。
【００２４】
また、表面形状測定装置には、図示しない参照鏡移動部と、ＣＣＤカメラ４から得た画像を処理及び参照鏡移動部を制御するコンピュータと、このコンピュータから得たデータを記憶させるメモリと、データなどを印字する出力装置と、コンピュータに入力するキーボード等を備えた構成としている。
【００２５】
次に、光学フィルタ５の構成の決定方法を示す。
本発明の光学フィルタ５は、光学フィルタ５の角波数ｋに対する特性を関数ａ（ｋ）で表し、図１に示される中心点Ｏから試料２の表面Ｐを通り、ＣＣＤカメラ４に至るまでの光路及び、中心点Ｏから参照鏡７を通りＣＣＤカメラ４に至るまでの光路に沿ってそれぞれ進行する前記角波数ｋの光の減衰率を表す関数をｑ（ｋ）、ｓ（ｋ）とし、下記式（９）で表される関数Ａ（ｋ）を定義すれば、この干渉計によって生じる干渉光の波形を表す関数ｆ（ｚ）は前記式（５）で表される。ここで、「角波数」とは、真空中での波長の逆数に２πを掛けたものを意味する。
【００２６】
【数９】
2004061330.tif 000007
【００２７】
また、前記式（５）と下記式（１０）とを用いて干渉光のモデルを表す関数ｇ（ｚ）は、下記式（１１）で表される。
【００２８】
【数１０】
2004061330.tif 000008
【００２９】
【数１１】
2004061330.tif 000009
【００３０】
さらに、本発明に係る表面形状測定装置は、干渉光の波形の交流成分を表す関数である前記式（５）に対する標本化定理に基づき、例えば、無限個の標本値を使うことができれば、干渉光に対する標本化定理によって前記式（５）を標本値から厳密に復元することができる。
【００３１】
しかしながら、実際には、前記表面形状測定装置の可動範囲は有限であり、標本値も有限個しか測定することができない。すなわち、干渉光に対する標本化定理を有限項で打ち切ることによって、誤差が生じることになる。
【００３２】
また、前記表面形状測定装置の前記光学フィルタ５の振幅分布関数であるａ（ｋ）、あるいは、上記式（９）で表される干渉光のパラメータ関数であるＡ（ｋ）が変化すれば、ｆ（ｚ）の２乗の２次モーメント（前記式（６）参照）の値も変わってくる。
【００３３】
また、干渉光の波形の交流成分を表す関数であるｆ（ｚ）の広がりが狭くなればなるほど、このｆ（ｚ）は白色光干渉計の可動範囲内に収まることになるので、干渉光に対する標本化定理の有限項で打ち切ることによって発生する誤差の影響を可及的に小さく抑えることができる。
【００３４】
そこで、本発明の光学フィルタ５は、上記干渉光の交流成分を表す関数であるｆ（ｚ）の広がりを、ｆ（ｚ）の２乗の２次モーメントで定義して、このｆ（ｚ）の広がりを最小にするような前記光学フィルタ５の角波数ｋに対する振幅分布ａ（ｋ）として光学フィルタ５の特性を決定する。
【００３５】
前記干渉光の波形の交流成分を表す関数であるｆ（ｚ）の広がりを最小にするような光学フィルタ５の特性を表す関数ａ（ｋ）を算出するために、前記式（７）を最小とする関数ａ（ｋ）を求める。これによって、本発明に係る表面形状測定装置で用いられる光学フィルタ５の最適設計条件を決定することができる。
【００３６】
すなわち、下記式（１２）、および式（１３）と式（１４）で表される条件範囲における下記式（１５）のもとで、前記式（６）を最小とするＡ（ｋ）は下記式（１６）で表される。
【００３７】
【数１２】
2004061330.tif 000010
【００３８】
【数１３】
2004061330.tif 000011
【００３９】
【数１４】
2004061330.tif 000012
【００４０】
【数１５】
2004061330.tif 000013
【００４１】
【数１６】
2004061330.tif 000014
【００４２】
一方、前記式（９）および前記式（１６）より、本発明に係る光干渉による表面形状測定装置で用いられる光学フィルタ５の最適設計条件である振幅分布ａ（ｋ）は、下記式（１７）で表される。
【００４３】
【数１７】
2004061330.tif 000015
【００４４】
そして、前記式（７）の最小値は、光学フィルタの特性を上記式（１７）で表される特性に設定することによって実現される。
【００４５】
その結果、前記式（７）で表される干渉波形の幅を最も狭くするような、振幅分布を表す関数ａ（ｋ）（式（１７））が導出され、これらの式で決定される条件を基に光学フィルタ５は構成されている。
【００４６】
次に、本発明の光学フィルタ５を、図１に示す表面形状測定装置に用いた時の作用について説明する。
図１に示す表面形状測定装置の白色光源６から照射された白色光は、光学フィルタ５によって前記白色光の周波数特性を特定周波数特性に変換してビームスプリッタ３に達する。そして、ビームスプリッタ３まで達した特定周波数特性の白色光は、試料台１の方向に屈折し進む反射光と、参照鏡７の方向に透過する透過光とに分けられる。
【００４７】
この反射光は試料台１の上に載置された試料２の表面に達し、試料表面Ｐで反射した反射光は、ビームスプリッタ３を透過して、試料２の上方に配置されるＣＣＤカメラ４に入射する。
また、透過光は、参照鏡７の表面で反射し、この反射した透過光はビームスプリッタ３で屈折しＣＣＤカメラ４に入射する。
【００４８】
すなわち、白色光源６から放射された白色光は、光学フィルタ５によって特定周波数特性の白色光に変換されビームスプリッタ３に達し、一度ビームスプリッタ３で反射光と透過光に分けられる。最終的にはそれぞれの光路（参照鏡７方向、試料２方向）を辿り、反射光と透過光が重ねあわされ、この重ね合わされた光をＣＣＤカメラ４で観測する。このとき、参照鏡７方向と試料２方向の光路には、光路差があるためにＣＣＤカメラ４で観測される光には干渉による明暗が観測される。
【００４９】
ここで、試料台１から仮想点Ｅまでの距離、すなわち干渉計の高さｚを変動させ、光の強弱をＣＣＤカメラ４で測定することによって試料２の表面の凹凸形状を読み取ることができる。
【００５０】
ＣＣＤカメラ４から読み取られた干渉光の情報は、図示しないコンピュータに送られるとともに、画像解析及びその得られた情報に基づきコンピュータから参照鏡移動部に指示を送り、参照鏡７を移動させ、試料２の表面の凹凸形状を高精度に測定ができる。
【００５１】
その結果、本発明の光学フィルタ５を表面形状測定装置に用いることで、光学フィルタを試行錯誤的に交換する必要もなくなり、高精度で常に安定した状態で測定を行うことができる。
【００５２】
［第２実施形態］
次に、第２実施形態として、本発明者が先に出願している特開２００１−０６６１２２号公報の表面形状測定装置に本発明の光学フィルタを用いた場合を示す。
【００５３】
本発明者の特開２００１−０６６１２２号公報に記載されている表面形状測定方法およびその装置は、以下のような原理に基づくものである。すなわち、図２に示すように、試料台８を基準とし、この試料台８の上に試料９が配置され、試料９の試料表面１０は試料台８から高さｚＰであり、試料表面１０から距離Ｌ４だけ離れた位置に、ビームスプリッタ１１が配置され、このビームスプリッタ１１の上方のＬ３だけ離れた位置に参照面１２が配置されている。また、ビームスプリッタ１１から下方のＬ３だけ離れた位置に仮想点Ｅを設け、仮想点Ｅを干渉計の位置とし、試料台８から仮想点Ｅまでの距離をｚとする。試料表面１０に入射光ＩＰが到達する位置を点Ｐとし、試料台８から点Ｐまでの高さをｚＰとする。また、出射光ＥＰの上部には図示しないＣＣＤ素子が備えられている。
【００５４】
このとき、入射光ＩＰを入射させ、点Ｐにおける干渉光の強度値を出射光ＥＰの上部に設けられたＣＣＤ素子における干渉光の強度値から干渉光の理論的な波形を示す関数を推定し、その関数が最大となる位置を求めることによって、試料９の高さｚｐを求めることができる。このことにより、干渉波形の関数を推定し、関数が最大になる位置を求めることによって、試料９の高さ（厚さ）を測定することができるものである。
【００５５】
前記干渉光の波形を示す関数が最大になる位置としてのｚＰは、より少ない計算量でより安定して探索できるようにするために、干渉光の関数値から緩やかな関数（以下、単に「２乗の包絡線関数」とよぶ。）のみを取り出して、それが最大となる位置として求めることができる。また、前記２乗包絡線関数は、前記干渉光の強度値のサンプリング値から直接推定される。
【００５６】
すなわち、前記２乗の包絡線関数の導出は、まず、干渉光の強度値の変化を示す波形が、帯域通過型の特性変換を受けていることを示し、干渉光の強度値の変化に対する標本化定理を導き、これをもとに、干渉光の強度値の変化を示す関数を導いて、この関数から２乗の包絡線関数を得ることができる。
【００５７】
また、このような原理に基づいて表面形状の凹凸を測定する前記表面形状測定装置の概略は、図３に示すように、半導体ウエハ、ガラス基板や金属基板などの試料１３の試料表面１４に形成された微細なパターンに、光学フィルタ５によって特定周波数帯域変換された白色光を照射する光学系ユニット１と、前記光学系ユニット１を制御する制御系ユニット２と、前記制御系ユニット２の命令によって動作する駆動ユニット３を備えた構成としている。
【００５８】
光学系ユニット１は、図３に示すように、最下端部に試料１３があり、この試料１３の上部には、試料１３の試料表面１４から上方にＬ４だけ離れた位置に干渉計を構成するビームスプリッタ１５、このビームスプリッタ１５から上方にＬ３だけ離れた位置に参照面１６、参照面１６の上方にはミラー１７が配置され、前記干渉計の上部には対物レンズ１８、この対物レンズ１８の上方にはハーフミラー１９、このハーフミラー１９の上部に結像レンズ２０、この結像レンズ２０の上部にはＣＣＤカメラ２１が備えられている。また、ハーフミラー１９に対して水平方向の端部に白色光源６が備えられ、白色光源６とハーフミラー１９の間には、コリメートレンズ２２と光学フィルタ５が配置されている。
【００５９】
次に、制御系ユニット２には、ＣＰＵ２３と、このＣＰＵ２３に命令の入力を行うキーボード、マウス等の入力部２４と、ＣＰＵ２３のデータ等を記憶させるメモリＭと、ＣＰＵ２３の指示によって駆動ユニット３の上下移動量を制御する制御部２５と、ＣＰＵ２３のデータ及び試料表面の干渉光を確認するモニタ２６が備えられている。
このＣＰＵ２３は、前記光学ユニット１のＣＣＤカメラ２１に接続されていて、ＣＣＤカメラ２１から得られる信号から、演算処理及び画像処理を行っている。
【００６０】
また、駆動ユニット３は、前記光学系ユニット１の干渉計を構成する部分であり、すなわち、ビームスプリッタ１５、参照面１６、ミラー１７からなり、さらに、駆動ユニット３を制御系ユニット２の制御部２５からの指示によって上下方向に移動させる駆動装置（図示なし）を備えている。
【００６１】
次にこの構成からなる表面形状測定装置の作用を説明する。
前記光学ユニット１の白色光源６から白色光が照射されると、まず、コリメートレンズ２２で白色光は平行光に偏向され、光学フィルタ５によって特定周波数特性を持った光に変換される。そして、この特定周波数特性に変換された光はハーフミラー１９によって試料１３が配置されている方向に屈折されると共に、対物レンズ１８で集光され、対物レンズ１８と試料１３の間にあるビームスプリッタ１５で透過光と反射光に分かれる。そして、透過光は試料表面１４に到達し、反射光は参照面１６上にあるミラー１７で反射する。
【００６２】
試料表面１４で反射した透過光は、ビームスプリッタ１５で前記反射光と重ね合わされ、この重ね合わされた光は、再度対物レンズ１８を通り、ハーフミラー１９を透過し、結像レンズ２０によって集光されＣＣＤカメラ２１の撮像部分に達する。
【００６３】
また、図３のＣＣＤカメラ２１に達する光は、反射光と透過光との間に光路差が生じているため、光路差による強弱がＣＣＤカメラ２１で取り込まれる。この強弱は、制御系ユニット２のＣＰＵ２３から制御部２５を介して駆動ユニット３を上下に移動させることによって生じる光路差による干渉である。
【００６４】
このとき、参照面１６とビームスプリッタ１５の距離をＬ３とし、ビームスプリッタ１５と試料表面１４の距離をＬ４とすると、駆動ユニット３の移動によってＬ３は一定であるがＬ４の距離が変動し、距離Ｌ３と距離Ｌ４との距離の差に応じて、干渉光の強さを徐々に変化させることができる。
これより、駆動ユニット３を上下に移動することによって生じる干渉光の強弱を測定し、試料表面１４の凹凸形状を計測できる。
【００６５】
その結果、表面形状測定装置に用いる白色光源６に光学フィルタ５を用いて最適な特定周波数特性に変換するため、種々の光学フィルタを試行錯誤的に交換する必要がなく、常に安定した光強度を維持できると共に、高精度の測定が可能になるため、従来の表面形状測定装置と比べると５倍から１０倍程度の性能の向上を得ることができる。
【００６６】
以上より、本発明の実施形態において図１に示すマイケルソン型の干渉計を用いた表面形状測定装置と図３に示すミラウ型の干渉計を用いた表面形状測定装置を説明したが、これらの例は本発明を限定するものではなく、例えば、従来公知の光干渉顕微鏡、例えば、リニック型等の表面形状測定装置に用いても同様の効果を得ることができる。
【００６７】
また、本発明の光学フィルタ５に含まれる周波数制限手段は、前記干渉波形の幅を厳密に最小にしなくても、必要に応じて前記干渉波形の幅を最小に近似させるように構成してもよい。
【００６８】
また、本発明の光学フィルタ５を配置する場所は、白色光源から出射された光が試料表面に到達する間の光路に配置しても同様の効果をえることができる。
【００６９】
【実施例】
次に、実施例として、本発明の光学フィルタ５を用いた表面形状測定装置と従来の表面形状測定装置の測定を行うことによって比較検討を行った。
従来の表面形状測定装置では、測定精度を高めるために、白色光源と光学フィルタとを適宜組み合わせることよって、周波数特性（光の周波数と強度分布との関係）がほぼ、図４（ａ）に示すように矩形分布になるように調整されている。
【００７０】
しかし、本発明の光学フィルタ５を用いた表面形状測定装置の周波数特性ａ（ｋ）は、図４（ｂ）に示すように、式（１７）の形になっている。
このため、従来の表面形状測定装置の周波数特性に比べ、本発明の光学フィルタ５を用いた表面形状測定装置のほうが、干渉波形ｆ（ｚ）の幅が狭くなるため、高精度の測定が行えることがわかる。
【００７１】
次に、実施形態の図３に示した表面形状測定装置において、実際に本発明の光学フィルタ５を備えた表面形状測定装置と、従来の表面形状測定装置による測定を行い、比較検討を行った。ここで、測定方法などは実施形態で示した手順で測定を行った。
【００７２】
なお、図５（ａ）に示すのは、従来の表面形状測定装置で得られた干渉光波形ｆ（ｚ）であり、図５（ｂ）は本発明の光学フィルタ５を付加した表面形状測定装置で得られた干渉波形ｆ（ｚ）である。
【００７３】
図５（ｂ）に示すように、本発明の光学フィルタ５を付加した表面形状測定装置は、干渉波形の幅が狭くなることによって、表面形状測定装置の走査範囲を一定に保てば打ち切り誤差が少なくなり高精度の測定を可能にし、逆に従来の測定精度を維持すれば、表面形状測定装置の走査する移動距離を狭くすることができ測定時間を短縮することができる。
【００７４】
また、従来の光学フィルタを用いて表面形状測定装置で得られた干渉光の交流成分の包絡線関数の２乗のグラフを図６（ａ）に示し、本発明の光学フィルタ５を、実際に既存の表面形状測定装置に装着して得られた干渉光の交流成分の包絡線関数の２乗のグラフを図６（ｂ）に示す。
【００７５】
図６（ａ）と図６（ｂ）の比較を行うと、光学フィルタ５を備えた図６（ｂ）のほうが、包絡線関数の幅が狭くなっていることがわかる。
【００７６】
次に、測定精度についても比較を行った。
その測定精度を図７に示す。なお、測定条件は、測定範囲を１０μｍから３０μｍまでとし、測定速度は同一とし、０．０１μｍ間隔で測定精度の計測を行った。また、図７（ａ）及び図７（ｂ）の横軸及び縦軸は、横軸がｚＰμｍ（試料の高さ）を示し、縦軸が｜ｚＰ’−ｚＰ｜を示す。ここで、ｚＰ’はｚＰの推定値であり、｜ｚＰ’−ｚＰ｜は推定誤差を示す。
【００７７】
図７（ａ）には、図４（ａ）の矩形波形のａ（ｋ）の従来の表面形状測定装置の推定誤差を示している。このときの推定誤差の平均値は、０．０３７７μｍ、最大値は０．１３８４μｍとなった。
【００７８】
また、図７（ｂ）には、図４（ｂ）の最適な波形のａ（ｋ）の光学フィルタ５を備えた表面形状測定装置の推定誤差を示している。すなわち、本発明の光学フィルタ５を表面形状測定装置に用いた時の推定誤差を示す。この場合の平均値は、０．０１０６μｍ、最大値は０．０５１９μｍとなった。
【００７９】
これより、図７（ａ）及び図７（ｂ）の推定誤差を比較すると、前記光学フィルタ５を表面形状測定装置に備えることで、推定誤差の平均値で約３．６倍程度の測定精度が光学フィルタ５を備えた表面形状測定装置の方が向上していることが明らかとなった。
【００８０】
【発明の効果】
これより本発明の光学フィルタによれば、白色光源から発せられた白色光の周波数特性を光学フィルタを用いて特定周波数特性をもった光に変換し、表面形状測定装置の試料表面の走査範囲を一定に保つことで高精度の測定を行うことができ、また、逆に従来の測定精度を維持すれば、表面形状測定装置の試料表面の走査範囲を狭くでき、高速な測定を行うことができる。
【図面の簡単な説明】
【図１】本発明の表面形状測定装置の構造を示す概念図である。
【図２】干渉光が発生する原理を示す模式図である。
【図３】他の実施形態の表面形状測定装置示す構成図である。
【図４】（ａ）　従来の表面形状測定装置における周波数成分の強度分布が一様になったことを示すグラフである。
（ｂ）　本発明の光学フィルタを用いた時の周波数成分の強度分布を示すグラフである。
【図５】（ａ）　従来の表面形状測定装置で得られた光干渉波形を示すグラフである。
（ｂ）　本発明の光学フィルタを付加した表面形状測定装置で得られた光干渉波形を示すグラフである。
【図６】（ａ）　従来の表面形状測定装置で得られた干渉光の交流成分の包絡線関数の２乗を示すグラフである。
（ｂ）　本発明の光学フィルタを備えた表面形状測定装置の交流成分の包絡線関数の２乗を示すグラフである。
【図７】（ａ）　従来の表面形状測定装置による測定精度を表すグラフである。
（ｂ）　本発明の光学フィルタを備えた表面形状測定装置の測定精度を表すグラフである。
【記号の説明】
１　・・・試料台
２　・・・試料
３　・・・ビームスプリッタ
４　・・・ＣＣＤカメラ
５　・・・光学フィルタ
６　・・・白色光源
７　・・・参照鏡
８　・・・試料台
９　・・・試料
１０　・・・試料表面
１１　・・・ビームスプリッタ
１２　・・・参照面
１３　・・・試料
１４　・・・試料表面
１５　・・・ビームスプリッタ
１６　・・・参照面
１７　・・・ミラー
１８　・・・対物レンズ
１９　・・・ハーフミラー
２０　・・・結像レンズ
２１　・・・ＣＣＤカメラ
２２　・・・コリメートレンズ
２３　・・・ＣＰＵ
２４　・・・入力部
２５　・・・制御部
２６　・・・モニタ
Ｍ　・・・メモリ
ＩＰ　・・・入射光
ＥＰ　・・・出射光
Ｏ　・・・中心点
Ｅ　・・・仮想面
Ｐ　・・・試料表面の照射点
ｄ　・・・光路差
ｚ　・・・試料台から仮想面までの高さ
ｚｐ　　・・・試料台から試料表面までの高さ
Ｌ１　・・・光路長
Ｌ２　・・・光路長
Ｌ３　・・・光路長
Ｌ４　・・・光路長
【図１】
2004061330.tif 000020
【図２】
2004061330.tif 000021
【図３】
2004061330.tif 000022
【図４】
2004061330.tif 000023
【図５】
2004061330.tif 000024
【図６】
2004061330.tif 000025
【図７】
2004061330.tif 000026